(57)【特許請求の範囲】
【請求項１】
タッチパネル機能を備える表示部と、
前記タッチパネル機能により検知される前記表示部に対するタッチ操作に基づく指示を受け付ける操作受付部と、
複数の情報を前記表示部に表示画面として列挙するためのリストを記憶するリスト記憶部と、
前記複数の情報それぞれに対する利用頻度を示す利用情報を記憶する利用情報記憶部と、
前記利用情報記憶部に記憶された前記利用情報を更新する利用情報更新部と、
前記操作受付部が前記リストの表示指示を受け付けたときに、前記リスト記憶部に記憶されている前記リストを前記表示部に表示させ、前記リストがスクロール表示により前記表示部に表示するスクロール画像であって、前記操作受付部がスクロール指示を受け付けたときは、前記リストのスクロール表示を行う表示制御部とを備え、
前記表示制御部は、前記スクロール表示の開始位置からスクロール方向に前記リストに列挙される情報のうち、前記利用情報が示す利用頻度の最も高い情報を優先情報として検出し、前記表示部の表示領域における予め定められた位置に前記優先情報を表示させた状態として、前記スクロール表示を終了させる表示装置。
【請求項２】
前記利用情報記憶部は、前記リストの利用目的毎に前記利用情報を記憶し、
前記表示制御部は、前記利用情報記憶部に記憶されている前記利用情報のうち、前記操作受付部が前記リストの表示指示と共に受け付けた前記リストの前記利用目的についての前記利用情報に基づいて前記優先情報を検出する請求項１に記載の表示装置。
【請求項３】
前記表示制御部は、前記優先情報を前記予め定められた位置に表示させた状態として、前記スクロール表示を終了させる場合、前記予め定められた位置に同一の優先情報を表示させた状態でのスクロール表示の終了は１回のみ行う請求項１又は請求項２に記載の表示装置。
【請求項４】
前記タッチパネル機能により検知されたタッチ操作がスワイプ操作又はフリック操作であり、前記操作受付部が前記スワイプ操作又はフリック操作に基づいて前記スクロール指示を受け付けたとき、
前記表示制御部は、
前記スワイプ操作又はフリック操作の速度が予め定められた速度以上の速さで行われた場合に、前記優先情報を前記予め定められた位置に表示させた状態として前記スクロール表示を終了させる処理を行い、
前記スワイプ操作又はフリック操作の速度が予め定められた速度よりも遅い場合には、前記スクロール指示で指定されたスクロール量に応じた通常のスクロール表示を行う請求項１乃至請求項３のいずれかに記載の表示装置。
【請求項５】
タッチパネル機能を備える表示部に対するタッチ操作に基づく指示を受け付ける操作受付部と、
複数の情報を前記表示部に表示画面として列挙するためのリストを記憶するリスト記憶部と、
前記複数の情報それぞれに対する利用頻度を示す利用情報を記憶する利用情報記憶部と、
前記利用情報記憶部に記憶された前記利用情報を更新する利用情報更新部と、
前記操作受付部が前記リストの表示指示を受け付けたときに、前記リスト記憶部に記憶されている前記リストを前記表示部に表示させ、前記リストがスクロール表示により前記表示部に表示するスクロール画像であって、前記操作受付部がスクロール指示を受け付けたときは、前記リストのスクロール表示を行う表示制御部として、コンピューターを機能させ、
前記表示制御部が、前記スクロール表示の開始位置からスクロール方向に前記リストに列挙される情報のうち、前記利用情報が示す利用頻度の最も高い情報を優先情報として検出し、前記表示部の表示領域における予め定められた位置に前記優先情報を表示させた状態として、前記スクロール表示を終了させるように、前記コンピューターを更に機能させる表示制御プログラム。
【発明の詳細な説明】
【技術分野】
【０００１】
本発明は、表示装置及び表示制御プログラムに関し、特に、表示部に表示される画像をスクロール表示させる技術に関する。
【背景技術】
【０００２】
近年、携帯電話、スマートフォン、ＰＤＡ（Personal Digital Assistant）、音楽プレーヤー、及び電子タブレット等のモバイル機器が普及している。モバイル機器等の表示装置には、表示部に表示されている表示画面に対して行われるユーザーのタッチ操作に従って、表示画面をスクロール表示するものがある。
【０００３】
表示装置には、スワイプ操作（画面に触れた状態で指を滑らせる操作）に応じて表示画面のスクロール表示を行う場合、表示画面からユーザーの指が離れてもスクロール表示をすぐには終了させず、慣性が作用しているようにスクロール速度を徐々に減衰させる慣性スクロールという機能が搭載されているものがある。そして、その技術については、下記特許文献１〜４に記載されている。
【先行技術文献】
【特許文献】
【０００４】
【特許文献１】特開平０５−１００８０９号公報
【特許文献２】特開平１０−１６１６２８号公報
【特許文献３】特開２００９−０４７８０９号公報
【特許文献４】特開２０１３−１１４３３８号公報
【発明の概要】
【発明が解決しようとする課題】
【０００５】
しかしながら、特許文献１〜４に記載されているようなスクロール表示の場合、表示画面から指が離れてもすぐにはスクロール表示が終わらないので、ユーザーの操作負担を軽減するというメリットはあるが、ユーザーの望む位置でスクロール表示が必ずしも終了するわけではない。
【０００６】
特に、上記特許文献３には、スクロール操作が行われる速度に比例してスクロール移動距離を増減させることが記載されているが、ユーザーの望む位置でスクロール表示を終了させるものではない。また、上記特許文献４には、マーキングされた位置でスクロール表示を終了させることでユーザー所望の位置でスクロール表示を終了させる技術が記載されているが、ユーザーが事前にマーキング作業を行わなければならず、手間である。
【０００７】
本発明は、上記の事情に鑑みなされたものであり、ユーザーに手間を取らせることなく、ユーザーが停止を希望すると想定される状態でスクロール表示を終了させることを目的とする。
【課題を解決するための手段】
【０００８】
本発明の一局面に係る表示装置は、タッチパネル機能を備える表示部と、前記タッチパネル機能により検知される前記表示部に対するタッチ操作に基づく指示を受け付ける操作受付部と、複数の情報を前記表示部に表示画面として列挙するためのリストを記憶するリスト記憶部と、前記複数の情報それぞれに対する利用頻度を示す利用情報を記憶する利用情報記憶部と、前記利用情報記憶部に記憶された前記利用情報を更新する利用情報更新部と、前記操作受付部が前記リストの表示指示を受け付けたときに、前記リスト記憶部に記憶されている前記リストを前記表示部に表示させ、前記リストがスクロール表示により前記表示部に表示するスクロール画像であって、前記操作受付部がスクロール指示を受け付けたときは、前記リストのスクロール表示を行う表示制御部とを備え、前記表示制御部は、前記スクロール表示の開始位置からスクロール方向に前記リストに列挙される情報のうち、前記利用情報が示す利用頻度の最も高い情報を優先情報として検出し、前記表示部の表示領域における予め定められた位置に前記優先情報を表示させた状態として、前記スクロール表示を終了させるものである。
【０００９】
また、本発明の一局面に係る表示制御プログラムは、タッチパネル機能を備える表示部に対するタッチ操作に基づく指示を受け付ける操作受付部と、複数の情報を前記表示部に表示画面として列挙するためのリストを記憶するリスト記憶部と、前記複数の情報それぞれに対する利用頻度を示す利用情報を記憶する利用情報記憶部と、前記利用情報記憶部に記憶された前記利用情報を更新する利用情報更新部と、前記操作受付部が前記リストの表示指示を受け付けたときに、前記リスト記憶部に記憶されている前記リストを前記表示部に表示させ、前記リストがスクロール表示により前記表示部に表示するスクロール画像であって、前記操作受付部がスクロール指示を受け付けたときは、前記リストのスクロール表示を行う表示制御部として、コンピューターを機能させ、前記表示制御部が、前記スクロール表示の開始位置からスクロール方向に前記リストに列挙される情報のうち、前記利用情報が示す利用頻度の最も高い情報を優先情報として検出し、前記表示部の表示領域における予め定められた位置に前記優先情報を表示させた状態として、前記スクロール表示を終了させるように、前記コンピューターを更に機能させるのである。
【発明の効果】
【００１０】
本発明によれば、スクロール表示によって、スクロール方向に列挙される情報の中で利用頻度の一番高い情報（優先情報）が表示部の表示領域における予め定められた位置に表示され、この状態でスクロール表示が終了するため、ユーザーに手間を取らせることなく、ユーザーが停止を希望すると想定される状態でスクロール表示を終了させることが可能になる。
【図面の簡単な説明】
【００１１】
【図１】本発明の第１実施形態に係る表示装置の外観を示す平面図である。
【図２】第１実施形態に係る表示装置の主要内部構成を概略的に示した機能ブロック図である。
【図３】利用情報記憶部のデータ構成の一例を示した図である。
【図４】リストの一例を示した図である。
【図５】表示部に表示される表示画面の一例を示した図である。
【図６】第１実施形態に係る表示装置による表示処理を示したフローチャートである。
【図７】（Ａ）（Ｂ）は、表示部に表示される表示画面の一例を示した図である。
【図８】（Ａ）（Ｂ）は、表示部に表示される表示画面の一例を示した図である。
【図９】利用情報記憶部のデータ構成の一例を示した図である。
【図１０】第２実施形態に係る表示装置による表示処理を示したフローチャートである。
【図１１】第３実施形態に係る表示装置による表示処理を示したフローチャートである。
【発明を実施するための形態】
【００１２】
以下、本発明の一実施形態に係る表示装置及び表示制御プログラムについて図面を参照して説明する。図１は、本発明の一実施形態に係る表示装置の外観を示す平面図である。図２は、本発明の一実施形態に係る表示装置の主要内部構成を概略的に示した機能ブロック図である。
【００１３】
本発明の一実施形態に係る表示装置１は、例えば、スマートフォンなどのモバイル機器であって、表示部１０と、タッチパネル２０と、通信部３０と、記憶部４０と、制御ユニット１００とを備えている。これらの各構成は、互いに例えばＣＰＵ（Central Processing Unit）バスによりデータ又は信号の送受信が可能とされている。
【００１４】
表示部１０は、液晶ディスプレイ（ＬＣＤ：Liquid Crystal Display）や有機ＥＬ（ＯＬＥＤ：Organic Light-Emitting Diode）などから構成される。また、表示部１０は、制御ユニット１００からの応答やデータ結果等を表示する。
【００１５】
タッチパネル２０は、いわゆる抵抗膜方式や静電容量方式等のタッチパネルである。タッチパネル２０は、表示部１０の前面に配置され、表示部１０が表示する表示画面上におけるユーザーによる接触をその接触位置と共に検知する。タッチパネル２０は、ユーザーによる接触を検知すると、その接触点の座標位置を示す検知信号を制御ユニット１００の後述する操作受付部１０２などに出力する。このように、タッチパネル２０は、表示部１０が表示する表示画面に対するユーザー操作が入力される操作部としての役割を果たす。
【００１６】
なお、タッチパネル２０には、表示画面への直接の接触がなくても、ユーザーの指などが表示画面に対して一定距離まで接近した場合に当該指などを検出するタッチパネルも含まれる。このため、本実施形態でいう「接触」には、表示画面への接触がなくても指などが上記一定距離まで接近したことがタッチパネル２０の機能により検出される状態も、実質的に接触したとして含まれるものとする。
【００１７】
また、表示装置１は、ユーザー操作が入力される操作部として、上記のタッチパネル２０に加えて物理キーを備えてもよい。当該物理キーには、例えば、矢印キー、Page Upキー、Page Downキーなどがある。
【００１８】
通信部３０は、不図示のＬＡＮ（Local Area Network）チップなどの通信モジュールを備える通信インターフェイスである。表示装置１は、ネットワークを介してＰＣ（Personal Computer）などの他の電子機器と接続されており、通信部３０により接続されたＰＣなどとの間でデータの送受信を行う。
【００１９】
記憶部４０は、不揮発性メモリーなどの記憶装置である。
【００２０】
制御ユニット１００は、プロセッサー、ＲＡＭ（Random Access Memory）、及びＲＯＭ（Read Only Memory）等から構成される。プロセッサーは、例えば、ＣＰＵ、ＭＰＵ、ＡＳＩＣ等である。制御ユニット１００は、上記記憶部４０に記憶された表示制御プログラムが上記のプロセッサーに実行されることにより、制御部１０１、操作受付部１０２、表示制御部１０３、リスト記憶部１０４、利用情報記憶部１０５、及び利用情報更新部１０６として機能するものである。但し、制御ユニット１００の上記の各構成は、前述の表示制御プログラムに基づく動作によらず、それぞれハード回路により構成されてもよい。以下、特に触れない限り、各実施形態についても同様である。
【００２１】
制御部１０１は、表示装置１の全体的な動作制御を司る。制御部１０１は、表示部１０、タッチパネル２０、通信部３０、及び記憶部４０などと接続されており、接続されている上記各構成の動作制御や、各構成との間での信号またはデータの送受信を行う。例えば、制御部１０１はメール機能を備え、メールの送受信を行い、送信したメール情報や受信したメール情報を利用情報記憶部１０５に記憶させる。制御部１０１は、例えば、メール機能や電話機能を備え、メールの送受信や通話を実現する。
【００２２】
操作受付部１０２は、タッチパネル２０により検知される表示部１０に対するタッチ操作を受け付ける。操作受付部１０２は、タッチパネル２０から出力される検知信号に基づき、ユーザーにより行われたタッチ操作の内容を特定し、当該特定した内容に対応する指示を、制御部１０１及び表示制御部１０３などに出力する。
【００２３】
タッチパネル２０に行われるタッチ操作には、タップ操作やスライド操作（フリック操作やスワイプ操作を含む）などがある。例えば、ユーザーがタッチパネル２０上に指を接触させ、その後その接触位置から指を離すと、タッチパネル２０は、接触を検知した位置を示す検知信号を操作受付部１０２に出力する。操作受付部１０２は、当該検知信号を受け、例えば、ユーザーにより入力されたユーザー操作がタップ操作であることを特定する。
【００２４】
また、タッチパネル２０上に指を接触させた状態で指を移動させると、タッチパネル２０は、最初に接触を検出した初期位置から最後に接触を検出した最終位置までの各移動位置を示す検知信号を操作受付部１０２に出力する。操作受付部１０２は、当該検知信号を受け、ユーザーにより入力されたユーザー操作がスライド操作（フリック操作又はスワイプ操作）であることを特定する。
【００２５】
表示制御部１０３は、表示部１０の表示制御を行う。例えば、表示制御部１０３は、操作受付部１０２がユーザーからアドレス帳の表示指示（リストの表示指示の一例）を受け付けると、リスト記憶部１０４からリストを読み出し、読み出したリストを表示部１０に表示させる。
【００２６】
また、表示制御部１０３は、操作受付部１０２がユーザーによるタッチ操作が例えばスワイプ操作又はフリック操作であると特定すると、当該スワイプ操作の方向及び速度に応じて、例えばスクロール速度が徐々に減速するスクロール表示を行う（慣性スクロール）。操作受付部１０２は、スワイプ操作の方向を、タッチパネル２０上に接触した指の移動方向から検出し、スワイプ操作の速度については、単位時間当たりの当該指の移動距離から検出する。なお、以下には、スワイプ操作が受け付けられた場合を例にして説明しているが、本発明は、フリック操作等の他のタッチ操作等に基づいて、操作受付部１０２及び表示制御部１０３による各制御を行うものであってもよい。
【００２７】
リスト記憶部１０４は、複数の情報（例えば、連絡先情報。以下、連絡先情報を例にして説明する）を表示部１０に表示画面として列挙するためのリスト、及び当該リストの属性情報（例えば、メールアドレス、電話番号）を記憶する。
【００２８】
利用情報記憶部１０５は、複数の連絡先情報それぞれに対する利用頻度を示す利用情報を記憶する。図３は、利用情報記憶部１０５のデータ構成の一例を示した図であり、各連絡先に対応付けて利用回数を記憶する。
【００２９】
図４は、リストの一例を示した図であり、図５は、表示部１０に表示される表示画面の一例を示した図である。なお、本実施形態では、表示制御部１０３が、スクロール表示させる表示対象として表示部１０に表示させる表示対象画像をスクロール画像と称する。すなわち、スクロール画像は、その全体が１度の表示では表示部１０の表示領域に表示できず、スクロール表示により各部分を順次表示領域に表示しなければ、画像全体が表示領域に表示されない画像である。連絡先情報が多く、リストＭ１が表示部１０の表示領域Ｅ１に収まらない場合、リストＭ１はスクロール画像となる。表示画面Ｄ１は、タイトル名「アドレス帳」を表示するタイトルバーＢｔと、リストＭ１がスクロール表示される表示領域Ｅ１とを含んで構成される。
【００３０】
図５に示した表示領域Ｅ１に表示されているのは、図４に破線で示した部分Ｐ１であり、連絡先「Ａ」の情報から連絡先「Ｇ」の情報までが表示されている。図５に破線で示した部分は、予め定められた位置としての表示領域Ｅ２である。表示領域Ｅ２は、図５では表示領域Ｅ１の最上部に当たり、ここでは連絡先「Ａ」の情報を示す画像部分が表示されている例を示す。
【００３１】
利用情報更新部１０６は、制御部１０１がメールの送信や電話番号の発信を行う度に、該当する連絡先の利用回数をカウントアップすることによって、利用情報記憶部１０５に記憶されている利用情報を更新する。例えば、連絡先「Ａ」のメールアドレスに対してメールが送信されたり、連絡先「Ａ」の電話番号が発信されたりすると、利用情報更新部１０６は、利用情報記憶部１０５（図３）に記憶されている連絡先「Ａ」に対応付けられた利用回数を示す利用情報をカウントアップして、「５」から「６」に更新する。
【００３２】
次に、表示装置１による表示処理について説明する。図６は、第１実施形態に係る表示装置１による表示処理を示すフローチャートである。なお、ここでは、表示部１０にスクロール画像であるリストＭ１が表示されている状態（図５）で、リストＭ１に対するスワイプ操作が行われた場合を例に挙げて説明する。
【００３３】
操作受付部１０２は、リストＭ１に対するスワイプ操作に基づくスクロール指示を受け付けると、受け付けられたスワイプ操作の方向及び速度を検出し（Ｓ１）、検出したスワイプ操作の方向に基づいて、スクロール方向を算出し（Ｓ２）、表示制御部１０３に出力する。
【００３４】
表示制御部１０３は、利用情報記憶部１０５に記憶されている利用情報に基づいて、スクロール表示の開始位置から、上記算出されたスクロール方向にリストＭ１に列挙される情報のうち、利用頻度の一番高い情報を優先情報Ａ１として検出する（Ｓ３）。例えば、表示制御部１０３は、連絡先「Ａ」を示す画像部分をスクロール開始位置として、スクロールアップでスクロール表示を開始する場合、図３に示すように、利用回数が「２３回」で利用頻度の一番高い連絡先「Ｊ」の情報を優先情報Ａ１として検出する。
【００３５】
続いて、表示制御部１０３は、表示部１０の表示領域Ｅ２から優先情報Ａ１（連絡先「Ｊ」の情報を示す画像部分）までの距離Ｌ１（図４）を算出するとともに（Ｓ４）、上記Ｓ１で検出されたスワイプ操作の方向及び速度に基づいて、スクロール量Ｌ２を算出する（Ｓ５）。更に、表示制御部１０３は、スクロール量Ｌ２が距離Ｌ１以上であるか否かを判断する（Ｓ６）。
【００３６】
表示制御部１０３は、スクロール量Ｌ２が距離Ｌ１以上である（すなわち、今回のスクロール表示によって、表示領域Ｅ２に優先情報Ａ１を表示させることが可能である）と判断した場合（Ｓ６でＹＥＳ）、Ｓ２で算出したスクロール方向へ、リストＭ１をスクロール表示させる（Ｓ７）。当該スクロール表示開始後、表示制御部１０３は、優先情報Ａ１を示す画像を表示領域Ｅ２に表示したか、すなわち、優先情報Ａ１が表示領域Ｅ２に到達したか否かを判断し（Ｓ８）、優先情報Ａ１が表示領域Ｅ２に到達したと判断した場合（Ｓ８でＹＥＳ）、図７（Ａ）に例を示すように、優先情報Ａ１を示す画像（ここでは、連絡先「Ｊ」の情報を示す画像部分）を表示領域Ｅ２に表示させた状態で、スクロール表示を終了させる（Ｓ９）。
【００３７】
なお、操作受付部１０２が、この表示状態（Ｓ９）から下方向への新たなスワイプ操作によるスクロール指示（スクロールダウン指示）を更に受け付けた場合、表示制御部１０３は、上方向に利用頻度の一番高い連絡先「Ｆ」（利用回数「１７回」）の情報を新たな優先情報Ａ１として検出し、スクロール量Ｌ２が距離Ｌ１以上であれば（Ｓ６でＹＥＳ）、図７（Ｂ）に示すように、優先情報Ａ１である連絡先「Ｆ」の情報が表示領域Ｅ２に表示させた状態で、スクロール表示を終了させる（Ｓ７，Ｓ８でＹＥＳ，Ｓ９）。
【００３８】
なお、表示制御部１０３は、スクロール表示中、スクロール速度を一定に設定してもよいし、徐々に減速させて上記終了時にちょうど速度０となるように表示してもよい。
【００３９】
また、操作受付部１０２が、Ｓ９の後、上方向への新たなスワイプ操作によるスクロール指示（スクロールアップ指示）を更に受け付けた場合、表示制御部１０３は、下方向に利用頻度の一番高い連絡先「Ｑ」（利用回数「１９回」）の情報を新たな優先情報Ａ１として検出し、スクロール量Ｌ２が距離Ｌ１以上であれば（Ｓ６でＹＥＳ）、図８（Ａ）に例を示すように、優先情報Ａ１である連絡先「Ｑ」の情報が表示領域Ｅ２に表示させた状態で、スクロール表示を終了させる（Ｓ７，Ｓ８でＹＥＳ，Ｓ９）。
【００４０】
一方、表示制御部１０３は、スクロール量Ｌ２が距離Ｌ１以上でない（すなわち、今回のスクロール表示では、表示領域Ｅ２に優先情報Ａ１を表示させることはできない）と判断した場合（Ｓ６でＮＯ）、Ｓ２で算出したスクロール方向へ、リストＭ１に対してスクロール表示を行い（Ｓ１０）、スクロール表示開始後、表示制御部１０３は、スクロール量Ｌ２分のスクロール表示を行ったか否かを判断し（Ｓ１１）、スクロール量Ｌ２分のスクロール表示を行ったと判断した場合（Ｓ１１でＹＥＳ）、スクロール表示を終了する（Ｓ１２）。
【００４１】
図８（Ｂ）は、優先情報Ａ１が表示領域Ｅ２に表示されていない状態の一例を示した図であり、優先情報Ａ１である連絡先「Ｊ」よりも上方に位置する情報（ここでは、連絡先「Ｅ」の情報）が表示領域Ｅ２に表示されている。
【００４２】
この実施形態によれば、スクロール表示によって、スクロール方向に列挙される情報の中で利用頻度の一番高い情報（優先情報）が表示部１０の表示領域Ｅ１における予め定められた位置としての表示領域Ｅ２に表示され、この状態でスクロール表示が終了するため、ユーザーに手間を取らせることなく、ユーザーが停止を希望すると想定される状態（利用頻度の高い情報を示す画像が表示領域Ｅ２に表示された状態）でスクロール表示を終了させることが可能になる。
【００４３】
なお、上記では、スクロール量Ｌ２が距離Ｌ１以上である場合に、優先情報Ａ１を表示領域Ｅ２に表示してからスクロール表示を終了させるようにしているが（Ｓ４〜Ｓ９）、表示制御部１０３は、スクロール指示が操作受付部１０２に受け付けられた場合には、スクロール量Ｌ２が距離Ｌ１以上であるか否かに拘わらず、当該スクロール指示が示すスクロール方向において優先情報Ａ１を検出して、当該優先情報Ａ１を表示領域Ｅ２に表示してスクロール表示を終了させるようにしてもよい。
【００４４】
次に、第２実施形態に係る表示装置について説明する。図９は、利用情報記憶部１０５のデータ構成の一例を示した図であり、第２実施形態に係る表示装置１では、利用情報記憶部１０５は、図９に示すように、各連絡先に対応付けて、利用目的（メール目的、電話目的）毎に利用回数を記憶している。
【００４５】
また、利用情報更新部１０６は、第２実施形態においては、制御部１０１がメールの送信を行う度に、該当する連絡先に対する、メール目的の利用回数をカウントアップし、制御部１０１が電話番号の発信を行う度に、該当する連絡先に対する、電話目的の利用回数をカウントアップすることによって、利用情報記憶部１０５を利用目的別に更新する。すなわち、利用情報更新部１０６は、リストの属性情報毎に利用回数をカウントアップする。
【００４６】
例えば、図９を用いて説明すると、利用情報更新部１０６は、連絡先「Ａ」のメールアドレスに対してメールが送信されると、利用情報記憶部１０５に記憶されている連絡先「Ａ」に対応付けられたメール目的の利用回数をカウントアップして「２」から「３」に更新し、連絡先「Ｂ」の電話番号の発信が行われると、利用情報記憶部１０５に記憶されている連絡先「Ｂ」に対応付けられた電話目的の利用回数をカウントアップして「１」から「２」に更新する。
【００４７】
続いて、第２実施形態に係る表示装置１による表示処理について説明する。図１０は、第２実施形態に係る表示装置１による表示処理を示すフローチャートである。なお、第１実施形態と同様の処理については説明を省略する。
【００４８】
第１実施形態では、利用目的の概念なく優先情報Ａ１を検出しているが、第２実施形態は、利用目的に関連付けて優先情報Ａ１を検出するという点で、第１実施形態とは相違する。
【００４９】
第２実施形態では、表示制御部１０３は、Ｓ２でスクロール方向が算出された後に（Ｓ２）、操作受付部１０２がユーザーからアドレス帳の表示指示と共に受け付けた上記リストの利用目的に関する利用情報がメール又は電話のいずれであるか、すなわち、アドレス帳の表示指示をメール機能、電話機能のいずれの機能の実行時に受け付けたかを判断する（Ｓ２１）。
【００５０】
表示制御部１０３は、操作受付部１０２がアドレス帳の表示指示をメール機能の実行時に受け付けたと判断した場合（Ｓ２１で「メール」）、利用情報記憶部１０５に記憶されているメール目的の利用情報に基づいて、スクロール表示の開始位置からスクロール方向にリストＭ１に列挙される情報のうち、利用頻度の一番高い情報を優先情報Ａ１として検出する（Ｓ２２）。例えば、表示制御部１０３は、スクロールアップでスクロール表示を行う場合、メール目的の利用回数が示す一番多い連絡先「Ｕ」（利用回数「１５回」）の情報を優先情報Ａ１として検出する。
【００５１】
一方、表示制御部１０３は、操作受付部１０２がアドレス帳の表示指示を電話機能の実行時に受け付けたと判断した場合（Ｓ２１で「電話」）、利用情報記憶部１０５に記憶されている電話目的の利用情報に基づいて、スクロール表示の開始位置からスクロール方向にリストＭ１に列挙される情報のうち、利用頻度の一番高い情報を優先情報Ａ１として検出する（Ｓ２３）。例えば、表示制御部１０３は、スクロールアップでスクロール表示を行う場合、電話目的の利用回数が示す一番多い連絡先「Ｑ」（利用回数「１７回」）の情報を優先情報Ａ１として検出する。
【００５２】
この後は、第１実施形態に係る表示装置１による表示処理と同様にして、上記のようにして、優先情報Ａ１の領域Ｅ１への表示に関する処理が行われる。
【００５３】
当該第２実施形態によれば、利用目的に関連付けて、利用頻度の一番高い情報が優先情報Ａ１として検出されるので、ユーザーがより一層停止を希望すると想定される状態でスクロール表示を終了させることが可能になる。
【００５４】
次に、表示装置１による表示処理の第３実施形態について説明する。図１１は、第３実施形態に係る表示装置１による表示処理を示すフローチャートである。なお、第１又は第２実施形態と同様の処理については説明を省略する。
【００５５】
第３実施形態では、表示制御部１０３が、優先情報Ａ１を上記予め定められた位置としての表示領域Ｅ２に表示させた状態としてスクロール表示を終了させる場合、表示領域Ｅ２に同一の優先情報Ａ１を表示させた状態でのスクロール表示の終了は１回のみ行うという点で、第１実施形態とは相違する。
【００５６】
表示制御部１０３は、スクロール表示を終了させた後（Ｓ９）、優先情報Ａ１を表示領域Ｅ２に表示したことを記憶しておく（Ｓ３２）。
【００５７】
また、表示制御部１０３は、利用頻度の一番高い情報を優先情報Ａ１として検出したとき（Ｓ３）、検出した優先情報Ａ１を領域Ｅ１に既表示として記憶しているか否かを判断し（Ｓ３１）、検出した優先情報Ａ１を既表示として記憶していないと判断した場合は（Ｓ３１でＮＯ）、Ｓ４へ進み、検出した優先情報Ａ１を既表示として記憶していると判断した場合（Ｓ３１でＹＥＳ）、Ｓ１０へ進む（すなわち、優先情報Ａ１を表示領域Ｅ２に表示した状態でスクロール表示を終了させるための上記処理を行わず、スクロール指示で指定されたスクロール量に応じた通常のスクロール表示を行う）。
【００５８】
当該第３実施形態によれば、同じ優先情報Ａ１の領域Ｅ１への表示は２回以上行われないので、優先情報Ａ１が領域Ｅ１に表示された後、ユーザーは、スクロール指示を繰り返すことで、スクロール指示で指定されたスクロール量に応じた通常のスクロール表示を行わせることができる。
【００５９】
更に別の実施形態として、操作受付部１０２が受け付けたスワイプ操作の強さ、例えば、スワイプ速度に応じて、表示制御部１０３が、優先情報Ａ１を表示領域Ｅ２に表示した状態でスクロール表示を終了させるための上記処理を行うか否かを決定するようにしてもよい。例えば、表示制御部１０３は、スワイプ操作の速度が予め定められた速度以上の速さで行われた場合には、優先情報Ａ１を表示領域Ｅ２に表示させた状態としてスクロール表示を終了させる上記処理を行い、スワイプ操作の速度が当該予め設定された速度よりも遅い場合には、スクロール指示で指定されたスクロール量に応じた通常のスクロール表示を行うようにしてもよい。
【００６０】
本発明は上記実施の形態の構成に限られず種々の変形が可能である。例えば、上記実施形態では、スクロールを縦方向のスクロールで行う場合を例にして説明しているが、本発明はこれに限られず、横方向にスクロールする場合にも、上記実施形態として示した本発明の技術的思想を適用可能である。
【００６１】
また、上記実施形態では、本発明に係る表示装置の一実施形態としてスマートフォンを用いて説明しているが、これは一例に過ぎず、他の電子機器、例えば、携帯電話、ＰＤＡ、音楽プレーヤー、及び電子タブレットなどでもよい。また、リストについても連絡先だけでなく、お気に入りのウェブページのアドレスが列挙されたブックマークなどでもよい。
【００６２】
また、上記実施形態では、図１乃至図１１を用いて上記実施形態により示した構成及び処理は、本発明の一実施形態に過ぎず、本発明を当該構成及び処理に限定する趣旨ではない。
【符号の説明】
【００６３】
１        表示装置
１０      表示部
２０      タッチパネル
３０      通信部
４０      記憶部
１００    制御ユニット
１０１    制御部
１０２    操作受付部
１０３    表示制御部
１０４    リスト記憶部
１０５    利用情報記憶部
１０６    利用情報更新部
【図１】
0006455489.tif 000002
【図２】
0006455489.tif 000003
【図３】
0006455489.tif 000004
【図４】
0006455489.tif 000005
【図５】
0006455489.tif 000006
【図６】
0006455489.tif 000007
【図７】
0006455489.tif 000008
【図８】
0006455489.tif 000009
【図９】
0006455489.tif 000010
【図１０】
0006455489.tif 000011
【図１１】
0006455489.tif 000012